(57)【要約】【課題】本発明はオンライン式降雨量と雨の回数の統計分析システムを開示した。    【解決手段】降水分析計測器を含み、前記降水分析計測器の中には雨を収集して収納できる収集機構が設置され、前記収集機構は収集チャンバと収納チャンバとを含み、前記収集チャンバと前記収納チャンバとの間には制御機構が設置され、該装置が需要に応じ、定時に降水量と降水の時にほかのデータを測定でき、しかも一日中の降水量を測定でき、該装置の適応する範囲を広め、また降水量を測定する前に、端壁についている水を落とし、降水量を測定する時、端壁についている水を自動的に落とすことができ、測ったデータの精度を保証し、機械の伝動により、測定の効率を上げる。【選択図】図１
2020197517.tif 000002
【特許請求の範囲】
【請求項１】
正面視で、降水分析計測器を含み、前記降水分析計測器の中には雨を収集して収納できる収集機構が設置され、
前記収集機構は収集チャンバと収納チャンバとを含み、前記収集チャンバと前記収納チャンバとの間には制御機構が設置され、
前記降水分析計測器の中にはまた収納する雨の水量を測定分析する測定機構が設置され、前記測定機構は駆動チャンバと昇降チャンバとを含み、前記昇降チャンバの中には昇降軸と、前記昇降軸とネジ山より連結された昇降板とが設置され、前記昇降軸の下端が前記駆動チャンバの中に位置しており、且つ前記昇降軸の下端には雨の水量を検査測定できるレーザー測定器がネジ山により連結され、前記昇降軸の上端にはひも巻き輪がスライドできるように連結され、前記ひも巻き輪には二つのロープが巻き付いており、前記ひも巻き輪の中には上方へ開口した押し出し溝が設置され、前記押し出し溝の中には押し出しロッドと、前記押し出しロッドを復帰させることができる押し出しばねとが設置され、前記押し出し溝の左端壁の中には貫通孔が設置され、前記貫通孔の中にはリミットブロックが設置され、前記昇降軸の中には右方へ開口しており、且つ前記リミットブロックを収納するリミット溝が設置され、前記リミットブロックの右端と前記押し出しロッドの下端との間は細ひもにより連結され、前記駆動チャンバの中には前記制御機構に運動を制御され、且つ前記レーザー測定器を制限できる収納チャンバが設置され、前記収納チャンバの中には前記昇降板の昇降に伴って運動するリングブロックが設置され、前記昇降板が下降して前記リングブロックを制御して前記収納チャンバの端壁についた液体を落とした後、前記制御機構の制御のもとで前記レーザー測定器を制御して作動させ、前記レーザー測定器が降水量を測定し、降水量を測定する精度を確保し、
前記収集チャンバの端壁の中にはまた前記制御機構に運動を制御された切断機構が設置され、前記測定機構が運動する時に前記収集機構を切断することに便利を与え、前記切断機構の上側にはまた前記制御機構に運動を制御され、且つ雨の衝撃力を測定する衝撃機構が設置されていることを特徴とするオンライン式降雨量と雨の回数の統計分析システム。
【請求項２】
前記収集機構はまた前記収集チャンバと前記収納チャンバとを連通する曲がりパイプを含み、前記曲がりパイプの下端には流水を前記収納チャンバの端壁に通して下方へ流すことができる流れガイドパイプが固定され、前記収納チャンバの右端壁の中には外部空間に連通している排出パイプが設置され、前記排出パイプの中には電磁スイッチが設置され、前記降水分析計測器の下端には前記降水分析計測器を支持する支持板が設置されていることを特徴とする請求項１に記載のオンライン式降雨量と雨の回数の統計分析システム。
【請求項３】
前記制御機構はまた前記曲がりパイプを貫通している制御チャンバを含み、前記制御チャンバの中には前記曲がりパイプを切断する切断板が設置され、前記切断板の右端には前記切断板を貫通している連結孔が設置され、前記切断板の右側には移動板と、前記移動板を復帰させることができる移動ばねとが設置され、前記移動板の右端には二つの引き糸が固定され、前記制御チャンバの中にはまた前記切断板の左側に位置している電磁石が固定され、前記電磁石の左側にはスライドできる電磁ブロックと、前記電磁ブロックの運動を安定させる安定ばねとが設置され、前記電磁ブロックの左端には前記引き糸と、二つの麻縄とが固定され、前記制御チャンバの下端壁には前記昇降チャンバに連通している貫通チャンバが設置され、前記押し出しロッドの上端が前記貫通チャンバを貫通しており、且つ前記制御チャンバの中に位置していることを特徴とする請求項１又は請求項２に記載のオンライン式降雨量と雨の回数の統計分析システム。
【請求項４】
前記測定機構はまた前記昇降チャンバの中に固定され、且つ前記ひも巻き輪を支持する固定板を含み、前記昇降板の右端には上端が前記昇降チャンバの上端壁と連結され、且つ前記昇降板の運動を安定させる昇降ばねが固定され、前記昇降板の右端には下端が前記収納チャンバに位置しており、且つ前記リングブロックと連結された昇降ロッドが固定され、前記駆動チャンバの下端壁には駆動モータが固定され、前記駆動モータの上端が前記昇降軸の下端と動力が伝達できるように連結され、前記駆動チャンバの中にはまたスライド板と、前記スライド板を復帰させることができる二つのスライドばねとが設置され、前記引き糸の左端が前記駆動チャンバの左端壁を貫通しており、且つ前記スライド板と連結されていることを特徴とする請求項１又は請求項３に記載のオンライン式降雨量と雨の回数の統計分析システム。
【請求項５】
前記切断機構は前記切断チャンバに連通している二つのスライドチャンバを含み、前記スライドチャンバの中には密封板と、前記密封板を復帰させることができる圧縮ばねとが設置され、二つの前記ロープの一端がそれぞれ二つの前記スライドチャンバの端壁を貫通しており、且つ前記密封板と連結され、前記密封板の一端には上方へ開口しており、且つ片側端壁が前記スライドチャンバに連通しているリミットチャンバが設置され、前記スライドチャンバの上端壁には下方へ開口したばね溝が設置され、前記ばね溝の中には下端が前記リミットチャンバの中に位置しているばねブロックと、前記ばねブロックを復帰させることができる伸縮ばねとが設置され、二つの前記引き糸の右端がそれぞれ二つの前記ばね溝の上端壁を貫通しており、且つ前記ばねブロックの上端と連結されていることを特徴とする請求項１又は請求項３に記載のオンライン式降雨量と雨の回数の統計分析システム。
【請求項６】
前記衝撃機構は前記収集チャンバに連通している二つの移動溝を含み、前記移動溝の中には移動ブロックが設置され、二つの前記移動ブロックの間には衝撃膜が設置され、前記移動溝の下端壁の中には変位センサーが嵌められるように設置され、前記移動溝の下端壁には前記移動ブロックの移動を制限できる固定ブロックが固定され、前記移動ブロックの中には前記移動溝に連通している摩擦チャンバが設置され、前記移動溝の中にはまた水平移動板と、前記水平移動板を復帰させることができる水平移動ばねとが設置され、二つの前記麻縄の左端がそれぞれ二つの前記移動溝の片側端壁を貫通しており、且つ前記水平移動板と連結され、前記水平移動板の片側端面には摩擦ブロックが固定されていることを特徴とする請求項１又は請求項３に記載のオンライン式降雨量と雨の回数の統計分析システム。
【請求項７】
前記リミットブロックと前記押し出しロッドとの間が反発し合い、また初期状態において前記ロープが緩む状態にあり、前記ひも巻き輪にしっかりと巻かれていないことを特徴とする請求項１に記載のオンライン式降雨量と雨の回数の統計分析システム。
【請求項８】
前記スライド板が前記レーザー測定器の回転を制御し、これにより前記レーザー測定器のレーザーが発する一端がちょうど前記収納チャンバに向いていることを特徴とする請求項１又は請求項４に記載のオンライン式降雨量と雨の回数の統計分析システム。
【発明の詳細な説明】
【技術分野】
【０００１】
本発明は検査測定分野を取り上げて、具体的にはオンライン式降雨量と雨の回数の統計分析システムである。
【背景技術】
【０００２】
各地域の経済の著しい発展と科学の進歩につれ、水文データベースと水文資料の編纂技術が全国に普及し、雨天の時、従業員が降雨量の統計分析装置を利用し、例えば雨量計で降雨をリアルタイムで監視測定すし、雨量のデータを高品質で効率的に収集して記録することを実現し、
しかし、現段階の雨量計などの降雨量を測定するほとんどの設備は、ひと雨が始まりから終わりまでの降雨量しか測定できなく、しかも人で操作する必要があり、定時に降雨量を測定する時、人で雨をついて検査測定する必要があり、検査測定の効率を下げ、また人力を費やし、降雨量を測定する時、水滴がよく雨水を収納する収納チャンバの端壁につき、測ったデータの精度に不利である。
【先行技術文献】
【特許文献】
【０００３】
【特許文献１】中国特許出願公開第１０９８７０７４７号明細書
【発明の概要】
【発明が解決しようとする課題】
【０００４】
本発明はオンライン式降雨量と雨の回数の統計分析システムを提供し、データの検査測定の精度が低いという欠点を解消し、また定時に降雨量を測定することを実現し、測ったデータの精度を上げることを目的とする。
【課題を解決するための手段】
【０００５】
本発明は以下の技術プランによって実現される：
【０００６】
本発明のオンライン式降雨量と雨の回数の統計分析システムの機械構造図を参照し、主に降水分析計測器を含み、前記降水分析計測器の中には雨を収集して収納できる収集機構が設置され、
前記収集機構は収集チャンバと収納チャンバとを含み、前記収集チャンバと前記収納チャンバとの間には制御機構が設置され、
前記降水分析計測器の中にはまた収納する雨の水量を測定分析する測定機構が設置され、前記測定機構は駆動チャンバと昇降チャンバとを含み、前記昇降チャンバの中には昇降軸と、前記昇降軸とネジ山より連結された昇降板とが設置され、前記昇降軸の下端が前記駆動チャンバの中に位置しており、且つ前記昇降軸の下端には雨の水量を検査測定できるレーザー測定器がネジ山により連結され、前記昇降軸の上端にはひも巻き輪がスライドできるように連結され、前記ひも巻き輪には二つのロープが巻き付いており、前記ひも巻き輪の中には上方へ開口した押し出し溝が設置され、前記押し出し溝の中には押し出しロッドと、前記押し出しロッドを復帰させることができる押し出しばねとが設置され、前記押し出し溝の左端壁の中には貫通孔が設置され、前記貫通孔の中にはリミットブロックが設置され、前記昇降軸の中には右方へ開口しており、且つ前記リミットブロックを収納するリミット溝が設置され、前記リミットブロックの右端と前記押し出しロッドの下端との間は細ひもにより連結され、前記駆動チャンバの中には前記制御機構に運動を制御され、且つ前記レーザー測定器を制限できる収納チャンバが設置され、前記収納チャンバの中には前記昇降板の昇降に伴って運動するリングブロックが設置され、前記昇降板が下降して前記リングブロックを制御して前記収納チャンバの端壁についた液体を落とした後、前記制御機構の制御のもとで前記レーザー測定器を制御して作動させ、前記レーザー測定器が降水量を測定し、降水量を測定する精度を確保し、
前記収集チャンバの端壁の中にはまた前記制御機構に運動を制御された切断機構が設置され、前記測定機構が運動する時に前記収集機構を切断することに便利を与え、前記切断機構の上側にはまた前記制御機構に運動を制御され、且つ雨の衝撃力を測定する衝撃機構が設置されている。
【０００７】
好ましくは、前記収集機構はまた前記収集チャンバと前記収納チャンバとを連通する曲がりパイプを含み、前記曲がりパイプの下端には流水を前記収納チャンバの端壁に通して下方へ流すことができる流れガイドパイプが固定され、前記収納チャンバの右端壁の中には外部空間に連通している排出パイプが設置され、前記排出パイプの中には電磁スイッチが設置され、前記降水分析計測器の下端には前記降水分析計測器を支持する支持板が設置されている。
【０００８】
好ましくは、前記制御機構はまた前記曲がりパイプを貫通している制御チャンバを含み、前記制御チャンバの中には前記曲がりパイプを切断する切断板が設置され、前記切断板の右端には前記切断板を貫通している連結孔が設置され、前記切断板の右側には移動板と、前記移動板を復帰させることができる移動ばねとが設置され、前記移動板の右端には二つの引き糸が固定され、前記制御チャンバの中にはまた前記切断板の左側に位置している電磁石が固定され、前記電磁石の左側にはスライドできる電磁ブロックと、前記電磁ブロックの運動を安定させる安定ばねとが設置され、前記電磁ブロックの左端には前記引き糸と、二つの麻縄とが固定され、前記制御チャンバの下端壁には前記昇降チャンバに連通している貫通チャンバが設置され、前記押し出しロッドの上端が前記貫通チャンバを貫通しており、且つ前記制御チャンバの中に位置している。
【０００９】
好ましくは、前記測定機構はまた前記昇降チャンバの中に固定され、且つ前記ひも巻き輪を支持する固定板を含み、前記昇降板の右端には上端が前記昇降チャンバの上端壁と連結され、且つ前記昇降板の運動を安定させる昇降ばねが固定され、前記昇降板の右端には下端が前記収納チャンバに位置しており、且つ前記リングブロックと連結された昇降ロッドが固定され、前記駆動チャンバの下端壁には駆動モータが固定され、前記駆動モータの上端が前記昇降軸の下端と動力が伝達できるように連結され、前記駆動チャンバの中にはまたスライド板と、前記スライド板を復帰させることができる二つのスライドばねとが設置され、前記引き糸の左端が前記駆動チャンバの左端壁を貫通しており、且つ前記スライド板と連結されている。
【００１０】
好ましくは、前記切断機構は前記切断チャンバに連通している二つのスライドチャンバを含み、前記スライドチャンバの中には密封板と、前記密封板を復帰させることができる圧縮ばねとが設置され、二つの前記ロープの一端がそれぞれ二つの前記スライドチャンバの端壁を貫通しており、且つ前記密封板と連結され、前記密封板の一端には上方へ開口しており、且つ片側端壁が前記スライドチャンバに連通しているリミットチャンバが設置され、前記スライドチャンバの上端壁には下方へ開口したばね溝が設置され、前記ばね溝の中には下端が前記リミットチャンバの中に位置しているばねブロックと、前記ばねブロックを復帰させることができる伸縮ばねとが設置され、二つの前記引き糸の右端がそれぞれ二つの前記ばね溝の上端壁を貫通しており、且つ前記ばねブロックの上端と連結されている。
【００１１】
好ましくは、前記衝撃機構は前記収集チャンバに連通している二つの移動溝を含み、前記移動溝の中には移動ブロックが設置され、二つの前記移動ブロックの間には衝撃膜が設置され、前記移動溝の下端壁の中には変位センサーが嵌められるように設置され、前記移動溝の下端壁には前記移動ブロックの移動を制限できる固定ブロックが固定され、前記移動ブロックの中には前記移動溝に連通している摩擦チャンバが設置され、前記移動溝の中にはまた水平移動板と、前記水平移動板を復帰させることができる水平移動ばねとが設置され、二つの前記麻縄の左端がそれぞれ二つの前記移動溝の片側端壁を貫通しており、且つ前記水平移動板と連結され、前記水平移動板の片側端面には摩擦ブロックが固定されている。
【００１２】
好ましくは、前記リミットブロックと前記押し出しロッドとの間が反発し合い、また初期状態において前記ロープが緩む状態にあり、前記ひも巻き輪にしっかりと巻かれていない。
【００１３】
好ましくは、前記スライド板が前記レーザー測定器の回転を制御し、これにより前記レーザー測定器のレーザーが発する一端がちょうど前記収納チャンバに向いている。
【発明の効果】
【００１４】
本発明の有益効果は：該装置は構成が簡単で、操作が便利で、該装置が需要に応じ、定時に降水量と降水の時にほかのデータを測定でき、しかも一日中の降水量を測定でき、該装置の適応する範囲を広め、また降水量を測定する前に、端壁についている水を落とし、降水量を測定する時、端壁についている水を自動的に落とすことができ、測ったデータの精度を保証し、機械の伝動により、測定の効率を上げる。
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例のリングブロックの上面拡大構成模式図
【図３】図３は本発明の実施例の密封ブロックの上面拡大構成模式図
【図４】図４は本発明の実施例の測定機構の局部断面の正面拡大構成模式図
【発明を実施するための形態】
【００１７】
図１〜４に記載のオンライン式降雨量と雨の回数の統計分析システムの機械構造図を参照し、主に降水分析計測器２を含み、前記降水分析計測器２の中には雨を収集して収納できる収集機構６０が設置され、前記収集機構６０は収集チャンバ６１と収納チャンバ５とを含み、前記収集チャンバ６１と前記収納チャンバ５との間には制御機構６２が設置され、前記降水分析計測器２の中にはまた収納する雨の水量を測定分析する測定機構５７が設置され、前記測定機構５７は駆動チャンバ４５と昇降チャンバ４０とを含み、前記昇降チャンバ４０の中には昇降軸４１と、前記昇降軸４１とネジ山より連結された昇降板３７とが設置され、前記昇降軸４１の下端が前記駆動チャンバ４５の中に位置しており、且つ前記昇降軸４１の下端には雨の水量を検査測定できるレーザー測定器４６がネジ山により連結され、前記昇降軸４１の上端にはひも巻き輪５５がスライドできるように連結され、前記ひも巻き輪５５には二つのロープ１３が巻き付いており、前記ひも巻き輪５５の中には上方へ開口した押し出し溝５４が設置され、前記押し出し溝５４の中には押し出しロッド５６と、前記押し出しロッド５６を復帰させることができる押し出しばね５３とが設置され、前記押し出し溝５４の左端壁の中には貫通孔５０が設置され、前記貫通孔５０の中にはリミットブロック５０が設置され、前記昇降軸４１の中には右方へ開口しており、且つ前記リミットブロック５０を収納するリミット溝４９が設置され、前記リミットブロック５０の右端と前記押し出しロッド５６の下端との間は細ひも５２により連結され、前記駆動チャンバ４５の中には前記制御機構６２に運動を制御され、且つ前記レーザー測定器４６を制限できる収納チャンバ５が設置され、前記収納チャンバ５の中には前記昇降板３７の昇降に伴って運動するリングブロック６が設置され、前記昇降板３７が下降して前記リングブロック６を制御して前記収納チャンバ５の端壁についた液体を落とした後、前記制御機構６２の制御のもとで前記レーザー測定器４６を制御して作動させ、前記レーザー測定器４６が降水量を測定し、降水量を測定する精度を確保し、前記収集チャンバ６１の端壁の中にはまた前記制御機構６２に運動を制御された切断機構５８が設置され、前記測定機構５７が運動する時に前記収集機構６１を切断することに便利を与え、前記切断機構５８の上側にはまた前記制御機構６２に運動を制御され、且つ雨の衝撃力を測定する衝撃機構５９が設置されている。  
【００１８】
有益的には、前記収集機構６０はまた前記収集チャンバ６１と前記収納チャンバ５とを連通する曲がりパイプ８を含み、前記曲がりパイプ８の下端には流水を前記収納チャンバ５の端壁に通して下方へ流すことができる流れガイドパイプ７が固定され、前記収納チャンバ５の右端壁の中には外部空間に連通している排出パイプ３が設置され、前記排出パイプ３の中には電磁スイッチ４が設置され、前記降水分析計測器２の下端には前記降水分析計測器２を支持する支持板１が設置されている。    
【００１９】
有益的には、前記制御機構６２はまた前記曲がりパイプ８を貫通している制御チャンバ１１を含み、前記制御チャンバ１１の中には前記曲がりパイプ８を切断する切断板３１が設置され、前記切断板３１の右端には前記切断板３１を貫通している連結孔２２が設置され、前記切断板３１の右側には移動板１２と、前記移動板１２を復帰させることができる移動ばね１０とが設置され、前記移動板１２の右端には二つの引き糸９が固定され、前記制御チャンバ１１の中にはまた前記切断板３１の左側に位置している電磁石３２が固定され、前記電磁石３２の左側にはスライドできる電磁ブロック３３と、前記電磁ブロック３３の運動を安定させる安定ばね３４とが設置され、前記電磁ブロック３３の左端には前記引き糸４４と、二つの麻縄３５とが固定され、前記制御チャンバ１１の下端壁には前記昇降チャンバ４０に連通している貫通チャンバ４８が設置され、前記押し出しロッド５６の上端が前記貫通チャンバ４８を貫通しており、且つ前記制御チャンバ１１の中に位置している。
【００２０】
有益的には、前記測定機構５７はまた前記昇降チャンバ４０の中に固定され、且つ前記ひも巻き輪５５を支持する固定板３６を含み、前記昇降板３７の右端には上端が前記昇降チャンバ４０の上端壁と連結され、且つ前記昇降板３７の運動を安定させる昇降ばね３８が固定され、前記昇降板３７の右端には下端が前記収納チャンバ５に位置しており、且つ前記リングブロック６と連結された昇降ロッド３９が固定され、前記駆動チャンバ４５の下端壁には駆動モータ４７が固定され、前記駆動モータ４７の上端が前記昇降軸４１の下端と動力が伝達できるように連結され、前記駆動チャンバ４５の中にはまたスライド板４３と、前記スライド板４３を復帰させることができる二つのスライドばね４２とが設置され、前記引き糸４４の左端が前記駆動チャンバ４５の左端壁を貫通しており、且つ前記スライド板４３と連結されている。
【００２１】
有益的には、前記切断機構５８は前記切断チャンバ６１に連通している二つのスライドチャンバ１５を含み、前記スライドチャンバ１５の中には密封板３０と、前記密封板３０を復帰させることができる圧縮ばね１４とが設置され、二つの前記ロープ１３の一端がそれぞれ二つの前記スライドチャンバ１５の端壁を貫通しており、且つ前記密封板３０と連結され、前記密封板３０の一端には上方へ開口しており、且つ片側端壁が前記スライドチャンバ１５に連通しているリミットチャンバ２４が設置され、前記スライドチャンバ１５の上端壁には下方へ開口したばね溝２６が設置され、前記ばね溝２６の中には下端が前記リミットチャンバ２４の中に位置しているばねブロック２９と、前記ばねブロック２９を復帰させることができる伸縮ばね２５とが設置され、二つの前記引き糸９の右端がそれぞれ二つの前記ばね溝２６の上端壁を貫通しており、且つ前記ばねブロック２９の上端と連結されている。
【００２２】
有益的には、前記切断機構５８は前記切断チャンバ６１に連通している二つのスライドチャンバ１５を含み、前記スライドチャンバ１５の中には密封板３０と、前記密封板３０を復帰させることができる圧縮ばね１４とが設置され、二つの前記ロープ１３の一端がそれぞれ二つの前記スライドチャンバ１５の端壁を貫通しており、且つ前記密封板３０と連結され、前記密封板３０の一端には上方へ開口しており、且つ片側端壁が前記スライドチャンバ１５に連通しているリミットチャンバ２４が設置され、前記スライドチャンバ１５の上端壁には下方へ開口したばね溝２６が設置され、前記ばね溝２６の中には下端が前記リミットチャンバ２４の中に位置しているばねブロック２９と、前記ばねブロック２９を復帰させることができる伸縮ばね２５とが設置され、二つの前記引き糸９の右端がそれぞれ二つの前記ばね溝２６の上端壁を貫通しており、且つ前記ばねブロック２９の上端と連結されている。
【００２３】
有益的には、前記衝撃機構５９は前記収集チャンバ６１に連通している二つの移動溝１９を含み、前記移動溝１９の中には移動ブロック２７が設置され、二つの前記移動ブロック２７の間には衝撃膜２３が設置され、前記移動溝１９の下端壁の中には変位センサー２８が嵌められるように設置され、前記移動溝１９の下端壁には前記移動ブロック２７の移動を制限できる固定ブロック２１が固定され、前記移動ブロック２７の中には前記移動溝１９に連通している摩擦チャンバ２０が設置され、前記移動溝１９の中にはまた水平移動板１６と、前記水平移動板１６を復帰させることができる水平移動ばね１８とが設置され、二つの前記麻縄３５の左端がそれぞれ二つの前記移動溝１９の片側端壁を貫通しており、且つ前記水平移動板１６と連結され、前記水平移動板１６の片側端面には摩擦ブロック６３が固定されている。
【００２４】
装置全体の機械作動の順序は：
【００２５】
１：降水分析計測器２を空所に置き、雨が降り始まる時、一滴の雨が衝撃膜２３に落ち、これにより衝撃膜２３が曲がり、これにより二つの移動ブロック２７が向き合って運動し、二つの水平移動センサー２８により変位を分析して確定し、これにより衝撃データを得て、しばらくして大量の雨水が収集チャンバ６１の中に積る。
【００２６】
２：始めからの一定の時間の降水量を測る時、駆動モータ４７が作動して昇降軸４１を連動させて回転させ、これにより昇降板３７を連動させて下降させ、レーザー測定器４６が空回りし、昇降板３７が下降してリングブロック６を制御して下降させ、これにより前回の収納チャンバ５の端壁についた水を収納チャンバ５の一番下側まで落とし、電磁スイッチ４を入れ、これにより残った水が排出パイプ３から流れて出て、そして電磁スイッチ４を切って、この時に駆動モータ４７が逆方向へ回転し、昇降板３７と、昇降ロッド３９と、リングブロック６とを連動させて復帰させる。
【００２７】
３：電磁石３２が作動して切断３１と吸引し合い、これにより切断板３１が左方へ運動し、これにより移動板１２が移動ばね１０の作用のもとで左方へ運動し、これにより引き糸９を連動させて左方へ運動させ、これによりばねブロック２９を連動させて上方へ運動させてリミットチャンバ２４から離れさせ、切断板３１が左方へ運動して押し出しロッド５６を下方へ運動させ、これにより細ひも５２の伝動によりリミットブロック５０をリミット溝４９から離し、これにより密封板３０が圧縮ばね１４の作用のもとで収集チャンバ６１の中に入っており、また二つの密封板３０が当接し合い、ロープ１３が緩められ、収集チャンバ６１を切断し、切断板３１の移動により連結孔２２を曲がりパイプ８と連通させ、これにより二つの密封板３０の下側の降水が曲がりパイプ８により収納チャンバ５の中に入る。
【００２８】
４：駆動モータ４７が作動して駆動軸４１を連動させて回転させ、これにより昇降板３７が下降し、これによりリングブロック６が再び下降し、これにより収納チャンバ５の端壁に飛び散った水を落とし、ひも巻き輪５５と固定板３６との間の摩擦力によりひも巻き輪５５の回転を制限する。
【００２９】
５：電磁ブロック３３が作動してこの時の電磁石３２と反発し合い、これにより磁石ブロック３３が左方へ運動し、これにより麻縄３５と引き糸４４とが緩み、引き糸４４が緩み、これによりスライド板４３がスライドばね４２の作用のもとで右方へ運動し、これによりレーザー測定器４６の回転を制御し、この時に駆動モータ４７が作動して駆動軸４１を連動させて逆方向へ回転させ、これによりレーザー測定器４６と昇降板３７とを連動させて上昇させ、これによりレーザー測定器４６が収納チャンバ５の中の液体の容量を検査測定し、検査測定し終わった後で駆動モータ４７が作動して駆動軸４１を連動させて順方向へ回転させ、これによりレーザー測定器４６が下降して復帰し、昇降板３７が下降し、麻縄３５が緩むことにより水平移動板１６が水平移動ばね１８の作用のもとで運動し、これにより摩擦ブロック６３が摩擦チャンバ２０の中に入る。
【００３０】
６：電磁ブロック３３が作動し終わった時、電磁ブロック３３が電磁石３２と吸引し合い、これにより電磁ブロック３３が復帰し、これによりスライド板４３と水平移動板１６とが復帰し、スライド板４３がレーザー測定器４６から分離し、水平移動板１６が摩擦ブロック６３と摩擦チャンバ２０との間の摩擦により、水平移動板１６が復帰する時に移動ブロック２７を衝撃膜２３がならされるまで連動させて復帰させ、水平移動板１６が復帰する時、摩擦ブロック６３が摩擦チャンバ２０から離れ、次回の衝撃値をテストすることの便利を図る。
【００３１】
７：駆動モータ４７が作動して昇降板３７を上昇させて復帰させた後、電磁石３２が作動して切断板３１と反発し合い、これにより切断板３１が復帰し、これにより移動板１２が復帰し、これによりばねブロック２９が伸縮ばね２５の作用のもとで下方へ運動し、且つ密封板３０と当接し、切断板３１が再び曲がりパイプ８を切断し、電磁スイッチ４を入れ、これにより収納チャンバ５の中の液体が流れて出て、切断板３１の復帰により押し出しロッド５６が復帰し、これにより細ひも５２が緩み、これによりリミットブロック５０が押し出しロッド５６の反発力作用のもとで左方へ運動し、この時に駆動モータ４７が作動して昇降軸４１を逆方向へ回転させ、これにより昇降板３７が下降し、これによりリングブロック６が下降し、収納チャンバ５の端壁にある水を落とし、同時に昇降軸４１の回転によりリミットブロック５０がリミット溝４９の中に入り、これにより昇降軸４１の回転に伴ってひも巻き輪５５が回転してロープ１３をきつく巻き、昇降板３７が一番下側まで下降する時、ロープ１３が密封板３０を連動させて復帰させ、これによりばねブロック２９の下端がリミットチャンバ２４の中に入って再び密封板３０を制限し、そして駆動モータ４７が昇降軸４１を連動させて逆方向へ回転させ、これにより昇降板３７を連動させて復帰させ、ロープ１３が緩み、装置が復帰する。
【００３２】
８：電磁スイッチ４を入れない前提のもとで、二十四時間の間に収集した降水を収納し続け、一日中の降水量を検査測定することの便利を図る。
【００３３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020197517.tif 000003
【図２】
2020197517.tif 000004
【図３】
2020197517.tif 000005
【図４】
2020197517.tif 000006
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
正面視で、降水分析計測器を含み、前記降水分析計測器の中には雨を収集して収納できる収集機構が設置され、  
前記収集機構は収集チャンバ及び前記収集チャンバの下側に位置し、かつ前記収集チャンバに連通した収納チャンバを含み、前記収集チャンバと前記収納チャンバとの間には制御機構が設置され、  
前記降水分析計測器の中にはまた収納する雨の水量を測定分析する測定機構が設置され、  
前記測定機構は駆動チャンバと昇降チャンバとを含み、前記昇降チャンバの中には昇降軸と、前記昇降軸とネジ山より連結された昇降板とが設置され、前記昇降軸の下端が前記駆動チャンバの中に位置しており、且つ前記昇降軸の下端には雨の水量を検査測定できるレーザー測定器がネジ山により連結され、前記昇降軸の上端にはひも巻き輪がスライドできるように連結され、前記ひも巻き輪には二つのロープが巻き付いており、前記ひも巻き輪の中には上方へ開口した押し出し溝が設置され、前記押し出し溝の中には押し出しロッドと、前記押し出しロッドを復帰させることができる押し出しばねとが設置され、前記押し出し溝の左端壁の中には貫通孔が設置され、前記貫通孔の中にはリミットブロックが設置され、前記昇降軸の中には右方へ開口しており、且つ前記リミットブロックを収納するリミット溝が設置され、前記リミットブロックの右端と前記押し出しロッドの下端との間は細ひもにより連結され、前記駆動チャンバの中には前記制御機構に運動を制御され、且つ前記レーザー測定器を制限できるスライド板が設置され、前記収納チャンバの中には前記昇降板の昇降に伴って運動するリングブロックが設置され、前記昇降板が下降して前記リングブロックを制御して前記収納チャンバの端壁についた液体を落とした後、前記制御機構の制御のもとで前記レーザー測定器を制御して作動させ、前記レーザー測定器が降水量を測定し、降水量を測定する精度を確保し、  
前記収集チャンバの端壁の中にはまた前記制御機構に制御されることにより前記収集機構を遮断することを実現できる切断機構が設置され、前記測定機構が運動する時に前記収集チャンバを遮断することを実現でき、前記切断機構の上側にはまた前記制御機構に制御され、且つ雨の衝撃力を測定する衝撃機構が設置されていることを特徴とするオンライン式降雨量と雨の回数の統計分析システム。  
【請求項２】
前記収集機構はまた前記収集チャンバと前記収納チャンバとを連通する曲がりパイプを含み、前記曲がりパイプの下端には流水を前記収納チャンバの端壁に通して下方へ流すことができる流れガイドパイプが固定され、前記収納チャンバの右端壁の中には外部空間に連通している排出パイプが設置され、前記排出パイプの中には電磁スイッチが設置され、前記降水分析計測器の下端には前記降水分析計測器を支持する支持板が設置されていることを特徴とする請求項１に記載のオンライン式降雨量と雨の回数の統計分析システム。  
【請求項３】
前記制御機構はまた前記曲がりパイプを貫通している制御チャンバを含み、前記制御チャンバの中には前記曲がりパイプを遮断する切断板が設置され、前記切断板の右端には前記切断板を貫通している連結孔が設置され、前記切断板の右側には移動板と、前記移動板を復帰させることができる移動ばねとが設置され、前記移動板の右端には二つの引き糸が固定され、前記制御チャンバの中にはまた前記切断板の左側に位置している電磁石が固定され、前記電磁石の左側にはスライドできる電磁ブロックと、前記電磁ブロックの運動を安定させる安定ばねとが設置され、前記電磁ブロックの左端には前記引き糸と、二つの麻縄とが固定され、前記制御チャンバの下端壁には前記昇降チャンバに連通している貫通チャンバが設置され、前記押し出しロッドの上端が前記貫通チャンバを貫通しており、且つ前記制御チャンバの中に位置していることを特徴とする請求項２に記載のオンライン式降雨量と雨の回数の統計分析システム。  
【請求項４】
前記測定機構はまた前記昇降チャンバの中に固定され、且つ前記ひも巻き輪を支持する固定板を含み、前記昇降板の右端には上端が前記昇降チャンバの上端壁と連結され、且つ前記昇降板の運動を安定させる昇降ばねが固定され、前記昇降板の右端には下端が前記収納チャンバに位置しており、且つ前記リングブロックと連結された昇降ロッドが固定され、前記駆動チャンバの下端壁には駆動モータが固定され、前記駆動モータの上端が前記昇降軸の下端と動力が伝達できるように連結され、前記駆動チャンバの中にはまたスライド板と、前記スライド板を復帰させることができる二つのスライドばねとが設置され、前記引き糸の左端が前記駆動チャンバの左端壁を貫通しており、且つ前記スライド板と連結されていることを特徴とする請求項３に記載のオンライン式降雨量と雨の回数の統計分析システム。  
【請求項５】
前記切断機構は前記収集チャンバに連通している二つのスライドチャンバを含み、前記スライドチャンバの中には密封板と、前記密封板を復帰させることができる圧縮ばねとが設置され、二つの前記ロープの一端がそれぞれ二つの前記スライドチャンバの端壁を貫通しており、且つ前記密封板と連結され、前記密封板の一端には上方へ開口しており、且つ片側端壁が前記スライドチャンバに連通しているリミットチャンバが設置され、前記スライドチャンバの上端壁には下方へ開口したばね溝が設置され、前記ばね溝の中には下端が前記リミットチャンバの中に位置しているばねブロックと、前記ばねブロックを復帰させることができる伸縮ばねとが設置され、二つの前記引き糸の右端がそれぞれ二つの前記ばね溝の上端壁を貫通しており、且つ前記ばねブロックの上端と連結されていることを特徴とする請求項１又は請求項３に記載のオンライン式降雨量と雨の回数の統計分析システム。  
【請求項６】
前記衝撃機構は前記収集チャンバに連通している二つの移動溝を含み、前記移動溝の中には移動ブロックが設置され、二つの前記移動ブロックの間には衝撃膜が設置され、前記移動溝の下端壁の中には変位センサーが嵌められるように設置され、前記移動溝の下端壁には前記移動ブロックの移動を制限できる固定ブロックが固定され、前記移動ブロックの中には前記移動溝に連通している摩擦チャンバが設置され、前記移動溝の中にはまた水平移動板と、前記水平移動板を復帰させることができる水平移動ばねとが設置され、二つの前記麻縄の左端がそれぞれ二つの前記移動溝の片側端壁を貫通しており、且つ前記水平移動板と連結され、前記水平移動板の片側端面には摩擦ブロックが固定されていることを特徴とする請求項３に記載のオンライン式降雨量と雨の回数の統計分析システム。
【請求項７】
前記リミットブロックと前記押し出しロッドとの間が反発し合い、また初期状態において前記ロープが緩む状態にあり、前記ひも巻き輪にしっかりと巻かれていないことを特徴とする請求項１に記載のオンライン式降雨量と雨の回数の統計分析システム。
【請求項８】
前記スライド板が前記レーザー測定器の回転を制御し、これにより前記レーザー測定器のレーザーが発する一端がちょうど前記収納チャンバに向いていることを特徴とする請求項４に記載のオンライン式降雨量と雨の回数の統計分析システム。
【手続補正２】
【補正対象書類名】明細書
【補正対象項目名】全文
【補正方法】変更
【補正の内容】
【発明の詳細な説明】
【技術分野】
【０００１】
本発明は検査測定分野を取り上げて、具体的にはオンライン式降雨量と雨の回数の統計分析システムである。  
【背景技術】
【０００２】
各地域の経済の著しい発展と科学の進歩につれ、水文データベースと水文資料の編纂技術が全国に普及し、雨天の時、従業員が降雨量の統計分析装置を利用し、例えば雨量計で降雨をリアルタイムで監視測定すし、雨量のデータを高品質で効率的に収集して記録することを実現し、  
しかし、現段階の雨量計などの降雨量を測定するほとんどの設備は、ひと雨が始まりから終わりまでの降雨量しか測定できなく、しかも人で操作する必要があり、定時に降雨量を測定する時、人で雨をついて検査測定する必要があり、検査測定の効率を下げ、また人力を費やし、降雨量を測定する時、水滴がよく雨水を収納する収納チャンバの端壁につき、測ったデータの精度に不利である。  
【先行技術文献】
【特許文献】
【０００３】
【特許文献１】中国特許出願公開第１０９８７０７４７号明細書
【発明の概要】
【発明が解決しようとする課題】
【０００４】
本発明はオンライン式降雨量と雨の回数の統計分析システムを提供し、データの検査測定の精度が低いという欠点を解消し、また定時に降雨量を測定することを実現し、測ったデータの精度を上げることを目的とする。  
【課題を解決するための手段】
【０００５】
本発明は以下の技術プランによって実現される：  
【０００６】
本発明のオンライン式降雨量と雨の回数の統計分析システムの機械構造図を参照し、主に降水分析計測器を含み、前記降水分析計測器の中には雨を収集して収納できる収集機構が設置され、  
前記収集機構は収集チャンバ及び前記収集チャンバの下側に位置し、かつ前記収集チャンバに連通した収納チャンバを含み、前記収集チャンバと前記収納チャンバとの間には制御機構が設置され、  
前記降水分析計測器の中にはまた収納する雨の水量を測定分析する測定機構が設置され、  
前記測定機構は駆動チャンバと昇降チャンバとを含み、前記昇降チャンバの中には昇降軸と、前記昇降軸とネジ山より連結された昇降板とが設置され、前記昇降軸の下端が前記駆動チャンバの中に位置しており、且つ前記昇降軸の下端には雨の水量を検査測定できるレーザー測定器がネジ山により連結され、前記昇降軸の上端にはひも巻き輪がスライドできるように連結され、前記ひも巻き輪には二つのロープが巻き付いており、前記ひも巻き輪の中には上方へ開口した押し出し溝が設置され、前記押し出し溝の中には押し出しロッドと、前記押し出しロッドを復帰させることができる押し出しばねとが設置され、前記押し出し溝の左端壁の中には貫通孔が設置され、前記貫通孔の中にはリミットブロックが設置され、前記昇降軸の中には右方へ開口しており、且つ前記リミットブロックを収納するリミット溝が設置され、前記リミットブロックの右端と前記押し出しロッドの下端との間は細ひもにより連結され、前記駆動チャンバの中には前記制御機構に運動を制御され、且つ前記レーザー測定器を制限できるスライド板が設置され、前記収納チャンバの中には前記昇降板の昇降に伴って運動するリングブロックが設置され、前記昇降板が下降して前記リングブロックを制御して前記収納チャンバの端壁についた液体を落とした後、前記制御機構の制御のもとで前記レーザー測定器を制御して作動させ、前記レーザー測定器が降水量を測定し、降水量を測定する精度を確保し、  
前記収集チャンバの端壁の中にはまた前記制御機構に制御されることにより前記収集機構を遮断することを実現できる切断機構が設置され、前記測定機構が運動する時に前記収集チャンバを遮断することを実現でき、前記切断機構の上側にはまた前記制御機構に制御され、且つ雨の衝撃力を測定する衝撃機構が設置されている。  
【０００７】
好ましくは、前記収集機構はまた前記収集チャンバと前記収納チャンバとを連通する曲がりパイプを含み、前記曲がりパイプの下端には流水を前記収納チャンバの端壁に通して下方へ流すことができる流れガイドパイプが固定され、前記収納チャンバの右端壁の中には外部空間に連通している排出パイプが設置され、前記排出パイプの中には電磁スイッチが設置され、前記降水分析計測器の下端には前記降水分析計測器を支持する支持板が設置されている。  
【０００８】
好ましくは、前記制御機構はまた前記曲がりパイプを貫通している制御チャンバを含み、前記制御チャンバの中には前記曲がりパイプを遮断する切断板が設置され、前記切断板の右端には前記切断板を貫通している連結孔が設置され、前記切断板の右側には移動板と、前記移動板を復帰させることができる移動ばねとが設置され、前記移動板の右端には二つの引き糸が固定され、前記制御チャンバの中にはまた前記切断板の左側に位置している電磁石が固定され、前記電磁石の左側にはスライドできる電磁ブロックと、前記電磁ブロックの運動を安定させる安定ばねとが設置され、前記電磁ブロックの左端には前記引き糸と、二つの麻縄とが固定され、前記制御チャンバの下端壁には前記昇降チャンバに連通している貫通チャンバが設置され、前記押し出しロッドの上端が前記貫通チャンバを貫通しており、且つ前記制御チャンバの中に位置している。  
【０００９】
好ましくは、前記測定機構はまた前記昇降チャンバの中に固定され、且つ前記ひも巻き輪を支持する固定板を含み、前記昇降板の右端には上端が前記昇降チャンバの上端壁と連結され、且つ前記昇降板の運動を安定させる昇降ばねが固定され、前記昇降板の右端には下端が前記収納チャンバに位置しており、且つ前記リングブロックと連結された昇降ロッドが固定され、前記駆動チャンバの下端壁には駆動モータが固定され、前記駆動モータの上端が前記昇降軸の下端と動力が伝達できるように連結され、前記駆動チャンバの中にはまたスライド板と、前記スライド板を復帰させることができる二つのスライドばねとが設置され、前記引き糸の左端が前記駆動チャンバの左端壁を貫通しており、且つ前記スライド板と連結されている。  
【００１０】
好ましくは、前記切断機構は前記収集チャンバに連通している二つのスライドチャンバを含み、前記スライドチャンバの中には密封板と、前記密封板を復帰させることができる圧縮ばねとが設置され、二つの前記ロープの一端がそれぞれ二つの前記スライドチャンバの端壁を貫通しており、且つ前記密封板と連結され、前記密封板の一端には上方へ開口しており、且つ片側端壁が前記スライドチャンバに連通しているリミットチャンバが設置され、前記スライドチャンバの上端壁には下方へ開口したばね溝が設置され、前記ばね溝の中には下端が前記リミットチャンバの中に位置しているばねブロックと、前記ばねブロックを復帰させることができる伸縮ばねとが設置され、二つの前記引き糸の右端がそれぞれ二つの前記ばね溝の上端壁を貫通しており、且つ前記ばねブロックの上端と連結されている。
【００１１】
好ましくは、前記衝撃機構は前記収集チャンバに連通している二つの移動溝を含み、前記移動溝の中には移動ブロックが設置され、二つの前記移動ブロックの間には衝撃膜が設置され、前記移動溝の下端壁の中には変位センサーが嵌められるように設置され、前記移動溝の下端壁には前記移動ブロックの移動を制限できる固定ブロックが固定され、前記移動ブロックの中には前記移動溝に連通している摩擦チャンバが設置され、前記移動溝の中にはまた水平移動板と、前記水平移動板を復帰させることができる水平移動ばねとが設置され、二つの前記麻縄の左端がそれぞれ二つの前記移動溝の片側端壁を貫通しており、且つ前記水平移動板と連結され、前記水平移動板の片側端面には摩擦ブロックが固定されている。
【００１２】
好ましくは、前記リミットブロックと前記押し出しロッドとの間が反発し合い、また初期状態において前記ロープが緩む状態にあり、前記ひも巻き輪にしっかりと巻かれていない。
【００１３】
好ましくは、前記スライド板が前記レーザー測定器の回転を制御し、これにより前記レーザー測定器のレーザーが発する一端がちょうど前記収納チャンバに向いている。  
【発明の効果】
【００１４】
本発明の有益効果は：該装置は構成が簡単で、操作が便利で、該装置が需要に応じ、定時に降水量と降水の時にほかのデータを測定でき、しかも一日中の降水量を測定でき、該装置の適応する範囲を広め、また降水量を測定する前に、端壁についている水を落とし、降水量を測定する時、端壁についている水を自動的に落とすことができ、測ったデータの精度を保証し、機械の伝動により、測定の効率を上げる。  
【図面の簡単な説明】
【００１５】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１６】
【図１】図１は本発明の実施例の構成模式図
【図２】図２は本発明の実施例のリングブロックの上面拡大構成模式図
【図３】図３は本発明の実施例の密封ブロックの上面拡大構成模式図
【図４】図４は本発明の実施例の測定機構の局部断面の正面拡大構成模式図
【発明を実施するための形態】
【００１７】
図１〜４に記載のオンライン式降雨量と雨の回数の統計分析システムの機械構造図を参照し、主に降水分析計測器２を含み、前記降水分析計測器２の中には雨を収集して収納できる収集機構６０が設置され、前記収集機構６０は収集チャンバ６１及び前記収集チャンバ６１の下側に位置し、かつ前記収集チャンバ６１に連通した収納チャンバ５を含み、前記収集チャンバ６１と前記収納チャンバ５との間には制御機構６２が設置され、  
前記降水分析計測器２の中にはまた収納する雨の水量を測定分析する測定機構５７が設置され、前記測定機構５７は駆動チャンバ４５と昇降チャンバ４０とを含み、前記昇降チャンバ４０の中には昇降軸４１と、前記昇降軸４１とネジ山より連結された昇降板３７とが設置され、前記昇降軸４１の下端が前記駆動チャンバ４５の中に位置しており、且つ前記昇降軸４１の下端には雨の水量を検査測定できるレーザー測定器４６がネジ山により連結され、前記昇降軸４１の上端にはひも巻き輪５５がスライドできるように連結され、前記ひも巻き輪５５には二つのロープ１３が巻き付いており、前記ひも巻き輪５５の中には上方へ開口した押し出し溝５４が設置され、前記押し出し溝５４の中には押し出しロッド５６と、前記押し出しロッド５６を復帰させることができる押し出しばね５３とが設置され、前記押し出し溝５４の左端壁の中には貫通孔５０が設置され、前記貫通孔５０の中にはリミットブロック５０が設置され、前記昇降軸４１の中には右方へ開口しており、且つ前記リミットブロック５０を収納するリミット溝４９が設置され、前記リミットブロック５０の右端と前記押し出しロッド５６の下端との間は細ひも５２により連結され、前記駆動チャンバ４５の中には前記制御機構６２に運動を制御され、且つ前記レーザー測定器４６を制限できるスライド板４３が設置され、前記収納チャンバ５の中には前記昇降板３７の昇降に伴って運動するリングブロック６が設置され、前記昇降板３７が下降して前記リングブロック６を制御して前記収納チャンバ５の端壁についた液体を落とした後、前記制御機構６２の制御のもとで前記レーザー測定器４６を制御して作動させ、前記レーザー測定器４６が降水量を測定し、降水量を測定する精度を確保し、前記収集チャンバ６１の端壁の中にはまた前記制御機構６２に制御されることにより前記収集機構６０を遮断することを実現できる切断機構５８が設置され、前記測定機構５７が運動する時に前記収集チャンバ６１を遮断することを実現でき、前記切断機構５８の上側にはまた前記制御機構６２に制御され、且つ雨の衝撃力を測定する衝撃機構５９が設置されている。  
【００１８】
有益的には、前記収集機構６０はまた前記収集チャンバ６１と前記収納チャンバ５とを連通する曲がりパイプ８を含み、前記曲がりパイプ８の下端には流水を前記収納チャンバ５の端壁に通して下方へ流すことができる流れガイドパイプ７が固定され、前記収納チャンバ５の右端壁の中には外部空間に連通している排出パイプ３が設置され、前記排出パイプ３の中には電磁スイッチ４が設置され、前記降水分析計測器２の下端には前記降水分析計測器２を支持する支持板１が設置されている。  
【００１９】
有益的には、前記制御機構６２はまた前記曲がりパイプ８を貫通している制御チャンバ１１を含み、前記制御チャンバ１１の中には前記曲がりパイプ８を遮断する切断板３１が設置され、前記切断板３１の右端には前記切断板３１を貫通している連結孔２２が設置され、前記切断板３１の右側には移動板１２と、前記移動板１２を復帰させることができる移動ばね１０とが設置され、前記移動板１２の右端には二つの引き糸９が固定され、前記制御チャンバ１１の中にはまた前記切断板３１の左側に位置している電磁石３２が固定され、前記電磁石３２の左側にはスライドできる電磁ブロック３３と、前記電磁ブロック３３の運動を安定させる安定ばね３４とが設置され、前記電磁ブロック３３の左端には前記引き糸４４と、二つの麻縄３５とが固定され、前記制御チャンバ１１の下端壁には前記昇降チャンバ４０に連通している貫通チャンバ４８が設置され、前記押し出しロッド５６の上端が前記貫通チャンバ４８を貫通しており、且つ前記制御チャンバ１１の中に位置している。
【００２０】
有益的には、前記測定機構５７はまた前記昇降チャンバ４０の中に固定され、且つ前記ひも巻き輪５５を支持する固定板３６を含み、前記昇降板３７の右端には上端が前記昇降チャンバ４０の上端壁と連結され、且つ前記昇降板３７の運動を安定させる昇降ばね３８が固定され、前記昇降板３７の右端には下端が前記収納チャンバ５に位置しており、且つ前記リングブロック６と連結された昇降ロッド３９が固定され、前記駆動チャンバ４５の下端壁には駆動モータ４７が固定され、前記駆動モータ４７の上端が前記昇降軸４１の下端と動力が伝達できるように連結され、前記駆動チャンバ４５の中にはまたスライド板４３と、前記スライド板４３を復帰させることができる二つのスライドばね４２とが設置され、前記引き糸４４の左端が前記駆動チャンバ４５の左端壁を貫通しており、且つ前記スライド板４３と連結されている。  
【００２１】
有益的には、前記切断機構５８は前記収集チャンバ６１に連通している二つのスライドチャンバ１５を含み、前記スライドチャンバ１５の中には密封板３０と、前記密封板３０を復帰させることができる圧縮ばね１４とが設置され、二つの前記ロープ１３の一端がそれぞれ二つの前記スライドチャンバ１５の端壁を貫通しており、且つ前記密封板３０と連結され、前記密封板３０の一端には上方へ開口しており、且つ片側端壁が前記スライドチャンバ１５に連通しているリミットチャンバ２４が設置され、前記スライドチャンバ１５の上端壁には下方へ開口したばね溝２６が設置され、前記ばね溝２６の中には下端が前記リミットチャンバ２４の中に位置しているばねブロック２９と、前記ばねブロック２９を復帰させることができる伸縮ばね２５とが設置され、二つの前記引き糸９の右端がそれぞれ二つの前記ばね溝２６の上端壁を貫通しており、且つ前記ばねブロック２９の上端と連結されている。  
【００２２】
有益的には、前記衝撃機構５９は前記収集チャンバ６１に連通している二つの移動溝１９を含み、前記移動溝１９の中には移動ブロック２７が設置され、二つの前記移動ブロック２７の間には衝撃膜２３が設置され、前記移動溝１９の下端壁の中には変位センサー２８が嵌められるように設置され、前記移動溝１９の下端壁には前記移動ブロック２７の移動を制限できる固定ブロック２１が固定され、前記移動ブロック２７の中には前記移動溝１９に連通している摩擦チャンバ２０が設置され、前記移動溝１９の中にはまた水平移動板１６と、前記水平移動板１６を復帰させることができる水平移動ばね１８とが設置され、二つの前記麻縄３５の左端がそれぞれ二つの前記移動溝１９の片側端壁を貫通しており、且つ前記水平移動板１６と連結され、前記水平移動板１６の片側端面には摩擦ブロック６３が固定されている。  
【００２３】
装置全体の機械作動の順序は：  
【００２４】
１：降水分析計測器２を空所に置き、雨が降り始まる時、一滴の雨が衝撃膜２３に落ち、これにより衝撃膜２３が曲がり、これにより二つの移動ブロック２７が向き合って運動し、二つの水平移動センサー２８により変位を分析して確定し、これにより衝撃データを得て、しばらくして大量の雨水が収集チャンバ６１の中に積る。  
【００２５】
２：始めからの一定の時間の降水量を測る時、駆動モータ４７が作動して昇降軸４１を連動させて回転させ、これにより昇降板３７を連動させて下降させ、レーザー測定器４６が空回りし、昇降板３７が下降してリングブロック６を制御して下降させ、これにより前回の収納チャンバ５の端壁についた水を収納チャンバ５の一番下側まで落とし、電磁スイッチ４を入れ、これにより残った水が排出パイプ３から流れて出て、そして電磁スイッチ４を切って、この時に駆動モータ４７が逆方向へ回転し、昇降板３７と、昇降ロッド３９と、リングブロック６とを連動させて復帰させる。  
【００２６】
３：電磁石３２が作動して切断３１と吸引し合い、これにより切断板３１が左方へ運動し、これにより移動板１２が移動ばね１０の作用のもとで左方へ運動し、これにより引き糸９を連動させて左方へ運動させ、これによりばねブロック２９を連動させて上方へ運動させてリミットチャンバ２４から離れさせ、切断板３１が左方へ運動して押し出しロッド５６を下方へ運動させ、これにより細ひも５２の伝動によりリミットブロック５０をリミット溝４９から離し、これにより密封板３０が圧縮ばね１４の作用のもとで収集チャンバ６１の中に入っており、また二つの密封板３０が当接し合い、ロープ１３が緩められ、収集チャンバ６１を遮断し、切断板３１の移動により連結孔２２を曲がりパイプ８と連通させ、これにより二つの密封板３０の下側の降水が曲がりパイプ８により収納チャンバ５の中に入る。  
【００２７】
４：駆動モータ４７が作動して駆動軸４１を連動させて回転させ、これにより昇降板３７が下降し、これによりリングブロック６が再び下降し、これにより収納チャンバ５の端壁に飛び散った水を落とし、ひも巻き輪５５と固定板３６との間の摩擦力によりひも巻き輪５５の回転を制限する。  
【００２８】
５：電磁ブロック３３が作動してこの時の電磁石３２と反発し合い、これにより磁石ブロック３３が左方へ運動し、これにより麻縄３５と引き糸４４とが緩み、引き糸４４が緩み、これによりスライド板４３がスライドばね４２の作用のもとで右方へ運動し、これによりレーザー測定器４６の回転を制御し、この時に駆動モータ４７が作動して駆動軸４１を連動させて逆方向へ回転させ、これによりレーザー測定器４６と昇降板３７とを連動させて上昇させ、これによりレーザー測定器４６が収納チャンバ５の中の液体の容量を検査測定し、検査測定し終わった後で駆動モータ４７が作動して駆動軸４１を連動させて順方向へ回転させ、これによりレーザー測定器４６が下降して復帰し、昇降板３７が下降し、麻縄３５が緩むことにより水平移動板１６が水平移動ばね１８の作用のもとで運動し、これにより摩擦ブロック６３が摩擦チャンバ２０の中に入る。  
【００２９】
６：電磁ブロック３３が作動し終わった時、電磁ブロック３３が電磁石３２と吸引し合い、これにより電磁ブロック３３が復帰し、これによりスライド板４３と水平移動板１６とが復帰し、スライド板４３がレーザー測定器４６から分離し、水平移動板１６が摩擦ブロック６３と摩擦チャンバ２０との間の摩擦により、水平移動板１６が復帰する時に移動ブロック２７を衝撃膜２３がならされるまで連動させて復帰させ、水平移動板１６が復帰する時、摩擦ブロック６３が摩擦チャンバ２０から離れ、次回の衝撃値をテストすることの便利を図る。  
【００３０】
７：駆動モータ４７が作動して昇降板３７を上昇させて復帰させた後、電磁石３２が作動して切断板３１と反発し合い、これにより切断板３１が復帰し、これにより移動板１２が復帰し、これによりばねブロック２９が伸縮ばね２５の作用のもとで下方へ運動し、且つ密封板３０と当接し、切断板３１が再び曲がりパイプ８を遮断し、電磁スイッチ４を入れ、これにより収納チャンバ５の中の液体が流れて出て、切断板３１の復帰により押し出しロッド５６が復帰し、これにより細ひも５２が緩み、これによりリミットブロック５０が押し出しロッド５６の反発力作用のもとで左方へ運動し、この時に駆動モータ４７が作動して昇降軸４１を逆方向へ回転させ、これにより昇降板３７が下降し、これによりリングブロック６が下降し、収納チャンバ５の端壁にある水を落とし、同時に昇降軸４１の回転によりリミットブロック５０がリミット溝４９の中に入り、これにより昇降軸４１の回転に伴ってひも巻き輪５５が回転してロープ１３をきつく巻き、昇降板３７が一番下側まで下降する時、ロープ１３が密封板３０を連動させて復帰させ、これによりばねブロック２９の下端がリミットチャンバ２４の中に入って再び密封板３０を制限し、そして駆動モータ４７が昇降軸４１を連動させて逆方向へ回転させ、これにより昇降板３７を連動させて復帰させ、ロープ１３が緩み、装置が復帰する。  
【００３１】
８：電磁スイッチ４を入れない前提のもとで、二十四時間の間に収集した降水を収納し続け、一日中の降水量を検査測定することの便利を図る。  
【００３２】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月14日(2020.4.14)
【手続補正１】
【補正対象書類名】特許請求の範囲
【補正対象項目名】請求項５
【補正方法】変更
【補正の内容】
【請求項５】
前記切断機構は前記収集チャンバに連通している二つのスライドチャンバを含み、前記スライドチャンバの中には密封板と、前記密封板を復帰させることができる圧縮ばねとが設置され、二つの前記ロープの一端がそれぞれ二つの前記スライドチャンバの端壁を貫通しており、且つ前記密封板と連結され、前記密封板の一端には上方へ開口しており、且つ片側端壁が前記スライドチャンバに連通しているリミットチャンバが設置され、前記スライドチャンバの上端壁には下方へ開口したばね溝が設置され、前記ばね溝の中には下端が前記リミットチャンバの中に位置しているばねブロックと、前記ばねブロックを復帰させることができる伸縮ばねとが設置され、二つの前記引き糸の右端がそれぞれ二つの前記ばね溝の上端壁を貫通しており、且つ前記ばねブロックの上端と連結されていることを特徴とする請求項３に記載のオンライン式降雨量と雨の回数の統計分析システム。